(57)【要約】【課題】  受け具に収容した臥床者の頭部の洗浄も容易に行えるようにした臥床者の受け具及び臥床者のシャワー入浴装置を提供する。【解決手段】  臥床者２の身長及び肩幅よりも若干大寸となる前後方向に細長い浅い舟形の受け具本体３を設け、該受け具本体３の前部に底面が受け具本体３の底面に接する半月状の枕８を、受け具本体３の前端と枕８の前端との間に空間部９を残して着脱可能に設けるとともに、枕８の底面に受け具本体３の前部に載置した際に前後方向に延びる排水溝１０を形成し、受け具本体３の後端壁４の下部中心部に排水口５を設け、受け具本体３の内面は滑らかな弧面となした。【選択図】  図１
2015107147.tif 000002
【特許請求の範囲】
【請求項１】
臥床者の身長及び肩幅よりも若干大寸となる前後方向に細長い浅い舟形の受け具本体を設け、該受け具本体の前部に底面が前記受け具本体の底面に接する半月状の枕を、前記受け具本体の前端と前記枕の前端との間に空間部を残して着脱可能に設けるとともに、前記枕の底面に前記受け具本体の前部に載置した際に前後方向に延びる排水溝を形成し、前記受け具本体の後端壁の下部中心部に排水口を設け、前記受け具本体の内面は滑らかな弧面となしたことを特徴とする臥床者の受け具。
【請求項２】
枕は、上半部が軟質材により下半部が硬質材により形成してなる請求項１に記載の臥床者の受け具。
【請求項３】
受け具本体は、ガラス繊維強化プラスチック材又は炭素繊維強化プラスチック材により形成してなる請求項１又は２に記載の臥床者の受け具。
【請求項４】
臥床者の身長及び肩幅よりも若干大寸となる前後方向に細長い浅い舟形の受け具本体を設け、該受け具本体の前部に底面が前記受け具本体の底面に接する半月状の枕を、前記受け具本体の前端と前記枕の前端との間に空間部を残して着脱可能に設けるとともに、前記枕の底面に前記受け具本体の前部に載置した際に前後方向に延びる排水溝を形成し、前記受け具本体の後端壁の下部中心部に排水口を設け、前記受け具本体の内面は滑らかな弧面となした受け具と、該受け具の上面を覆うカバーとを設け、前記カバーは、左右幅が前記受け具本体の左右幅よりも若干小さく、かつ前後の長さが、前記枕の直後部から前記受け具本体の後端部に至る長さとなる、下面及び前面が開口した倒立容器状にするとともに、前部に小径かつ円弧状の窓孔を有するカーテンを設けてなり、前記カバー内に洗浄水を噴出する複数のノズルを設けたことを特徴とする臥床者のシャワー入浴装置。
【請求項５】
枕は、上半部が軟質材により下半部が硬質材により形成してなる請求項４に記載の臥床者のシャワー入浴装置。
【請求項６】
受け具本体は、ガラス繊維強化プラスチック材又は炭素繊維強化プラスチック材により形成してなる請求項４又は５に記載の臥床者のシャワー入浴装置。
【請求項７】
受け具本体のカバーの載置部又はカバー側の受け具との接触部に不透水性のクッション材を設けてなる請求項４〜６のいずれか１項に記載の臥床者のシャワー入浴装置。
【請求項８】
両端部にそれぞれフックを有し、一方のフックを受け具本体の上縁に掛け、カバーの外周を回って他方のフックをカバーの反対側の下端縁に掛けてカバーを傾斜状態に保持できる弾性ベルトを設けた請求項４〜７のいずれか１項に記載の臥床者のシャワー入浴装置。
【発明の詳細な説明】
【技術分野】
【０００１】
本発明は、自身で排便・排尿処理ができない臥床者（患者又は負傷者）をベッド又は布団上で受ける臥床者の受け具及び臥床者のシャワー入浴装置に関するものである。
【背景技術】
【０００２】
従来の技術として、特許文献１には、臥床者の身長及び肩幅よりも若干大寸となる前後方向に細長い浅い樋状の受け板を設け、前記受け板の前端部に、底面が受け板の前端部に密接する半月状の枕を着脱可能に設け、受け板の後端部に堰を設け、該堰の底部中心部に排水口を設けるとともに、該堰の上部にオーバーフロー口を設け、受け板の底部中心部に前部から後部に向かって延びる排水溝を設けた臥床者の受け具がある。
【０００３】
このものは、受け板を浅い樋状にしたので、ベッド、布団上で臥床者の受け具への収容・排出が小労力で行える、即ち、臥床者を一端持ち上げることなく移し変えることができる点で優れている。
ただ、受け具の前端部に半月状の枕を設けていたので、頭部を洗浄しようとすると、洗浄水が受け板の外に飛散してしまう不具合があった。
【先行技術文献】
【特許文献】
【０００４】
【特許文献１】特許第３６１２０５１号公報
【発明の概要】
【発明が解決しようとする課題】
【０００５】
そこで、本発明の目的は、受け具に収容した臥床者の頭部の洗浄も容易に行えるようにした臥床者の受け具及び臥床者のシャワー入浴装置を提供することにある。
【課題を解決するための手段】
【０００６】
上記課題を解決するため、本発明による臥床者の受け具は、臥床者の身長及び肩幅よりも若干大寸となる前後方向に細長い浅い舟形の受け具本体を設け、該受け具本体の前部に底面が前記受け具本体の底面に接する半月状の枕を、前記受け具本体の前端と前記枕の前端との間に空間部を残して着脱可能に設けるとともに、前記枕の底面に前記受け具本体の前部に載置した際に前後方向に延びる排水溝を形成し、前記受け具本体の後端壁の下部中心部に排水口を設け、前記受け具本体の内面は滑らかな弧面となしたこと、を特徴としている。
ここで、枕は、上半部が軟質材により下半部が硬質材により形成するとよい。
また、受け具本体は、ガラス繊維強化プラスチック材又は炭素繊維強化プラスチック材により形成するとよい。
本発明によるシャワー入浴装置は、臥床者の身長及び肩幅よりも若干大寸となる前後方向に細長い浅い舟形の受け具本体を設け、該受け具本体の前部に底面が前記受け具本体の底面に接する半月状の枕を、前記受け具本体の前端と前記枕の前端との間に空間部を残して着脱可能に設けるとともに、前記枕の底面に前記受け具本体の前部に載置した際に前後方向に延びる排水溝を形成し、前記受け具本体の後端壁の下部中心部に排水口を設け、前記受け具本体の内面は滑らかな弧面となした受け具と、該受け具の上面を覆うカバーとを設け、前記カバーは、左右幅が前記受け具本体の左右幅よりも若干小さく、かつ前後の長さが、前記枕の直後部から前記受け具本体の後端部に至る長さとなる、下面及び前面が開口した倒立容器状にするとともに、前部に小径かつ円弧状の窓孔を有するカーテンを設けてなり、前記カバー内に洗浄水を噴出する複数のノズルを設けたこと、を特徴としている。
ここで、枕は、上半部が軟質材により下半部が硬質材により形成するとよい。
また、受け具本体は、ガラス繊維強化プラスチック材又は炭素繊維強化プラスチック材により形成するとよい。
また、受け具本体のカバーの載置部又はカバー側の受け具との接触部に不透水性のクッション材を設けることができる。
また、両端部にそれぞれフックを有し、一方のフックを受け具本体の上縁に掛け、カバーの外周を回って他方のフックをカバーの反対側の下端縁に掛けてカバーを傾斜状態に保持できる弾性ベルトを設けることができる。
【発明の効果】
【０００７】
本発明による臥床者の受け具によれば、受け具本体の前部に底面が受け具本体の底面に接する半月状の枕を、受け具本体の前端と枕の後端との間に空間部を残して着脱可能に設けるとともに、枕の底面に受け具本体の前部に載置した際に前後方向に延びる排水溝を形成したので、頭部を洗浄した湯水は前記空間部に落下し、枕の排水溝を流下して受け具本体の排水口に流れるので、洗髪作業が容易にできる。また、受け具本体の内面を滑らかな弧面となしたので、溝などの障害物がなく洗浄作業に支障を来すことがなく、また、衛生的でもある。
枕を、上半部が軟質材により下半部が硬質材により形成すれば、枕の排水溝が頭の重みで狭まることがなく好ましい。
受け具本体を、ガラス繊維強化プラスチック材又は炭素繊維強化プラスチック材により形成すれば、受け具の重さを軽くできるので、小労力で設置でき、所謂老々介護での負担の軽減に資する。
また、本発明によるシャワー入浴装置は、上記受け具の上面に倒立容器状のカバーを着脱可能に設け、該カバー内に洗浄水を噴出する複数のノズルを設けるようにしたので、構造が簡素となって安価になるとともに、受け具に収容した臥床者を空隙を少なくして包囲することができ臥床者のシャワー入浴が効率よく行われることになる。
受け具本体のカバーの載置部又はカバー側の受け具との接触部に不透水性のクッション材を設けるようにすれば、受け具へカバーを載置した際、多少のずれがあっても載置部からの水漏れが防止される。また、接触部の損傷防止にもなる。
また、両端部にそれぞれフックを有し、一方のフックを受け具本体の上縁に掛け、カバーの外周を回って他方のフックをカバーの反対側の下端縁に掛けてカバーを傾斜状態に保持できる弾性ベルトを設ければ、開口部につっかい棒などの障害物がなくカバーを傾斜状態に保持できるので、開口部から介助者は洗浄作業がし易くなる。
【図面の簡単な説明】
【０００８】
【図１】本発明の実施例による受け具を示す斜視図である。
【図２】受け具の側面断面図である。
【図３】受け具への臥床者の載置状態を示す説明図である。
【図４】受け具の傾斜状態における図２相当の側面断面図である。
【図５】本発明によるシャワー入浴装置の斜視図である。
【図６】本発明によるシャワー入浴装置の側面断面図である。
【図７】本発明によるシャワー入浴装置のカバーの斜視図である。
【図８】他の実施例のカバーによる図６のＶＩＩＩ−ＶＩＩＩ相当の断面図である。
【図９】カバーの傾斜状態を示す図８相当の断面図である。
【発明を実施するための形態】
【０００９】
以下、本発明を実施するための形態を図面に基づいて具体的に説明する。図１、図２において、符号１は、臥床者（患者又は負傷者）を寝かせた状態で支持する受け具であり、臥床者２の身長及び肩幅より若干大寸となる前後方向に細長い平面視、前方が半円状で後方が長方形状の浅い舟形をなしている。即ち、前後の長さＬ１が１８００ｍｍ〜１９００ｍｍ、左右幅Ｗ１が約７００ｍｍ、曲率半径Ｒ１（図３（ｂ））が約４００ｍｍとなる舟形をしている。
受け具本体３の前部は、半円状で前端に向けて上方に緩やかに傾斜している。受け具本体３の後端壁４には、下部中心部に排水口５を形成し、該排水口５に排水弁６によって開閉される排水ホース７を接続する。後端壁４は上方に向けて広がる方向に傾斜させてある。
【００１０】
受け具本体３の前部に半月状の枕８を着脱可能に載置する。枕８は、底面が受け具本体３の内面３ａに沿うように接する半月状をなし、受け具本体３の前端と枕８の前端との間に空間部９を残して着脱可能に設ける。枕８の底面には受け具本体３の前部に載置した際に前後方向に延びる排水溝１０を形成してある。これにより、頭部を洗浄した湯水は前記空間部９に落下し、枕８の排水溝１０を流下して受け具本体３の排水口５に流れることになる。枕８は、上半部８ａが軟質材、下半部８ｂが硬質材からなる２層構造としてある。軟質材からなる上半部８ａで頭部を支え、排水溝１０は硬質材からなる下半部８ｂに形成されるので、頭の重みで排水溝１０が狭まることがなく、排水を確保できる。
【００１１】
上記受け具１にベッド１１（又は布団）上の臥床者２を載置する際には、図３（ａ）に示すように、臥床者２をベッド１１上で横向きにし、受け具１を上記臥床者２の背面側で横向きに起立させ、次いで上記臥床者２を仰向けに転動させつつ、受け具１を水平方向に回動させて該臥床者２を受け具１上に仰向けに寝かせる。上記受け具１を水平に回動させた後、図１、図３（ｂ）に示す楔形の安定具１２を上記受け具１の前後の左右両側に差込み、ベッド１１上で上記受け具１の横揺れを防止する。
【００１２】
受け具本体３の材質は、ガラス繊維強化プラスチック材又は炭素繊維強化プラスチック材が好ましい。受け具本体３をガラス繊維強化プラスチック材、特に中空構造のガラス繊維強化プラスチック材により形成すれば重さが７〜８ｋｇ程度、また、炭素繊維強化プラスチック材により形成すれば５ｋｇ程度と軽量で形成できる。この程度の重さであれば、所謂老々介護でも大きな負担とならない。
【００１３】
受け具本体３の内面３ａは溝などのない滑らかな弧面（円弧面又は楕円弧面）に形成してある。極めて簡単な形状としてあるので、製造コストを押さえることができる。溝などを設けなくても、図３（ｂ）に示すように、臥床者２の背中と受け具底部との間には隙間１３が形成されるので、排水の妨げとはならない。
溝が横方向にあれば、排水の際の妨げとなり不衛生となる。また、溝が縦方向（前後方向）にあれば、受け具と臥床者との間に手を入れて洗浄作業を行う際に引っ掛かったりして洗浄作業の邪魔になることもある。滑らかな円弧面（楕円弧面）であれば、かかる不都合が解消される。
なお、受け具本体３の内面に超撥水処理を施すようにしてもよい。こうすれば、排水がスムーズになり、使用後の処理も楽になる。
【００１４】
受け具本体３の上端部は、後述するカバーの載置部となる段部１４、続いて下方に向けてやや拡開する逆Ｕ字状の外周縁部１５を形成してある。
【００１５】
ベッド１１は電動により傾斜可能となっており、臥床者２を洗面器１６に汲んだ湯やハンドシャワー１７で洗浄、或いは後述のシャワー入浴装置によりシャワー入浴させる際には、上記ベッド１１を介して受け具１を前部が後部よりも若干高くなるように傾斜させ、受け具１内に落下した使用済の洗浄水（洗浄湯）が後部の排水口５に向かって流れるようにする（図４）。なお、傾斜機能をもたないベッド又は布団の場合は、安定具１２により受け具１を前部が後部よりも若干高くなるように傾斜させる。
【００１６】
図５、図６において、符号２０は臥床者２（患者）を寝かせた状態でシャワー入浴させるシャワーバスであり、受け具１、該受け具１の上面に着脱可能に載置されるカバー２１、該カバー２１に取り付ける複数のノズル２２を主要部品として構成される。上記受け具１は前述したものと略同様となっている。カバー２１は硬質性のプラスチック材により前後方向に長い半円筒状に形成し、上記受け具１の前端部を除く上部を包囲する。即ち、長さＬ２が約１４００ｍｍ〜１５００ｍｍ、左右幅Ｗ２が約６００ｍｍ、高さＨ２が約３００ｍｍとなるように形成する。上記カバー２１は、前端部をカーテン２３により閉塞するとともに、カーテン２３に臥床者２の頭部を外部に露出させる窓孔２３ａを形成する。また、カバー２１の後端部は後端壁２４により閉塞する。
カバー２１の前端部、後端部はともに上方に向けてすぼまる方向に傾斜させてある。これにより、カバー２１本体を積み重ね可能として、運搬コストを低下させることができる。なお、受け具本体３も同様に積み重ね可能となっている。
【００１７】
カバー２１内の前後４箇所に洗浄水を噴出するノズル２２を取り付ける。即ち、カバー２１外の頂部に親管２５を前後方向に延長させて取り付け、該親管２５の前後４箇所にカバー２１内に延びる分岐管２６を接続し、該分岐管２６の各端部にノズル２２を取り付ける。上記親管２５の後端には、給湯ホース２７を接続する。これにより、給湯ホース２７から供給される湯を親管２５、分岐管２６を介して各ノズル２２に供給し、各ノズル２２からカバー２１内の臥床者２の身体部に向けて湯を噴出させる。
なお、図５〜図７では、親管２５をカバー２１外の頂部に取り付けたものを示したが、親管２５をカバー２１−１内の頂部に取り付けるようにすることもできる（図８、図９）。
【００１８】
上記シャワーバス２０による臥床者２のシャワー入浴時、或いは前述した受け具１とハンドシャワー１７等による臥床者２の洗浄時において、臥床者２を入浴状態にしてシャワー入浴、或いは洗浄する際には、排水弁６を閉じて受け具１内に湯を充満させるようにする。この場合、受け具１内の過剰の湯は、受け具本体３の後端壁４の上部にオアーバーフロー口（図示せず）を設けるとともに、該オアーバーフロー口に排出ホースを接続し、該オアーバーフロー口から排水ホースを介して外部に排出させるようにしてもよい。
【００１９】
受け具本体３のカバー２１の載置部（段部１４）又はカバー２１側の受け具１との接触部には、ゴム材など不透水性のクッション材（図示せず）を設けるとよい。受け具１へカバー２１を載置した際、多少のずれがあっても載置部からの水漏れが防止される。また、接触部の損傷防止にもなる。
【００２０】
両端部にそれぞれフック２８ａ，２８ｂを有するゴムベルト２９を設け、一方のフック２８ａを受け具本体３の上縁に掛け、カバー２１−１の外周を回って他方のフック２８ｂをカバー２１−１の反対側の下端縁に掛けてカバー２１−１を傾斜状態に保持するようにできる。なお、カバー２１−１を傾斜状態に保持できるようにゴムベルト２９の引っ張り力を調整しておく。こうすれば、開口部３０につっかい棒などの障害物がなくカバー２１−１を傾斜状態に保持することができる。開口部３０に何らの障害物がないので、開口部３０から介助者３１は洗浄作業がし易くなる。この場合、親管２５がカバー２１−１内に取り付けられたカバー２１−１を用いれば、カバー２１−１の外周に障害物がないので、好ましい。
【符号の説明】
【００２１】
１  受け具
２  臥床者
３  受け具本体
３ａ  内面
４  後端壁
５  排水口
６  排水弁
７  排水ホース
８  枕
８ａ  上半部
８ｂ  下半部
９  空間部
１０  排水溝
１１  ベッド
１２  安定具
１３  隙間
１４  段部
１５  外周縁部
１６  洗面器
１７  ハンドシャワー
２０  シャワーバス
２１  カバー
２１−１  カバー
２２  ノズル
２３  カーテン
２３ａ  窓孔
２４  後端壁
２５  親管
２６  分岐管
２７  給湯ホース
２８ａ，２８ｂ  フック
２９  ゴムベルト
３０  開口部
３１  介助者
【図１】
2015107147.tif 000003
【図２】
2015107147.tif 000004
【図３】
2015107147.tif 000005
【図４】
2015107147.tif 000006
【図５】
2015107147.tif 000007
【図６】
2015107147.tif 000008
【図７】
2015107147.tif 000009
【図８】
2015107147.tif 000010
【図９】
2015107147.tif 000011